(57)【要約】  本発明は、高圧電力用真空式開閉装置１０に関する。電気接点１８を取り囲む真空圧空間２１中の真空圧状態が監視され、かつ接点間での破壊的なアーク放電を回避するために、圧力が所定のしきい値を越えた場合には、開及び閉位置間の接点動作を自動的に阻止する。センサ３２は、真空圧状態に対応する真空信号３４を提供する。制御部３６は、真空信号が真空度の低下を示す場合に、接点の動作を自動的に阻止する。接触部３８は、電源２８と、接点動作に用いられるソレノイド２４と直列に配置される。接触部は、劣化した真空状態に応じて制御部によって自動的に開放される。電気機械式開阻止部７４は、制御部によって通電され、劣化した真空状態に応じて接点の動作を機械的に阻止する。
2009525583.tif 000002
【特許請求の範囲】
【請求項１】
高圧電力用開閉装置であって、
内部に真空圧状態を作り出す圧力境界と、
前記真空状態で、閉及び開位置間の相対動作を行うように構成された、前記圧力境界内の複数の電気接点と、
前記真空圧状態に応じて真空信号を生成するセンサと、
制御信号に応答して、前記開及び閉位置間の前記複数の接点の動作を制御するとともに、さらに、前記真空信号に応答して、前記圧力境界内で前記真空圧状態が劣化した場合には、前記開及び閉位置間の前記複数の接点の動作を阻止する制御素子と
を具備し、
前記閉位置では、前記複数の接点が前記開閉装置を介する電流の流れを繋ぎ合わせ、
前記開位置では、前記複数の接点が互いに離れて前記電流の流れを遮断し、
前記真空圧状態は、高電位において前記複数の接点が前記位置間で動作する際に、前記複数の接点間のアーク放電の発生を最小化する状態であることを特徴とする装置。
【請求項２】
前記制御素子は、電源によって選択的に通電されて前記複数の接点を動作させるソレノイドを具備するとともに、前記電源及び前記ソレノイドに直列に接続された接触器をさらに具備し、
前記接触器は、前記真空圧状態が劣化した場合に前記真空信号に応答して選択的に開放されて、前記ソレノイドの通電と前記複数の接点の動作とを阻止することを特徴とする請求項１に記載の装置。
【請求項３】
前記制御素子が、電気機械式開阻止部をさらに具備し、
前記電気機械式開阻止部は、前記真空信号に応答して、前記複数の接点の手動による動作を阻止することを特徴とする請求項１に記載の装置。
【請求項４】
前記真空圧空間中の前記圧力状態の履歴を示すデータを格納するデータベースと、
前記データベースにアクセスするとともに、前記真空圧空間中の圧力状態の前記履歴に基づいて作成された傾向情報を提供するプロセッサと
をさらに具備することを特徴とする請求項１に記載の装置。
【請求項５】
前記圧力境界の環境のパラメータに応じて環境信号を生成する環境センサと、
前記圧力信号の履歴と前記環境信号の対応する履歴とを示すデータを格納するデータベースと
をさらに具備することを特徴とする請求項１に記載の装置。
【請求項６】
前記センサが、
光源と、
前記圧力境界内の圧力値にかかわらず前記光源の光を受け取るように配置された第１光感知デバイスと、
前記圧力境界内の圧力値が許容範囲にある場合のみ前記光源の光を受け取り、かつ前記圧力境界内の圧力値が劣化した場合には前記光源の光を受け取らないように配置された第２光感知デバイスと、
前記圧力境界内の圧力値が劣化した場合のみ前記光源の光を受け取り、かつ前記圧力境界内の圧力値が許容範囲にある場合には前記光源の光を受け取らないように配置された第３光感知デバイスと
を具備し、
前記制御素子が、制御部によって実行可能なロジックを有し、前記光源、前記第１光感知デバイス、前記第２光感知デバイス、及び前記第３光感知デバイスの出力に応じて、前記圧力境界内の圧力が許容範囲にあるか又は劣化したかを判断することを特徴とする請求項１に記載の装置。
【請求項７】
前記センサが、
光源と、
前記圧力境界内の圧力値が許容範囲にある場合のみ前記光源の光を受け取り、かつ前記圧力境界内の圧力値が劣化した場合には前記光源の光を受け取らないように配置された光感知デバイスと、
前記圧力境界内の圧力値が劣化した場合のみ前記光源の光を受け取り、かつ前記圧力境界内の圧力値が許容範囲にある場合には前記光源の光を受け取らないように配置された光感知デバイスと
を具備し、
制御部によって実行可能なロジックは、
前記圧力境界内の圧力値が許容範囲にある場合のみ前記光源の光を受け取り、かつ前記圧力境界内の圧力値が劣化した場合には前記光源の光を受け取らないように配置された前記光感知デバイスの出力と、
前記圧力境界内の圧力値が劣化した場合のみ前記光源の光を受け取り、かつ前記圧力境界内の圧力値が許容範囲にある場合には前記光源の光を受け取らないように配置された前記光感知デバイスとの出力と
に応じて、前記圧力境界内の圧力が許容範囲にあるか又は劣化したかを判断することを特徴とする請求項１に記載の装置。
【請求項８】
高圧電力用開閉装置であって、
真空圧空間に配置された複数の接点を具備する真空遮断部と、
前記真空遮断部に接続され、制御信号に応答して開及び閉位置間で前記複数の接点を選択的に動作させる駆動機構と、
前記真空圧空間中の圧力状態に応じて真空信号を提供するセンサと、
前記駆動機構に接続されるとともに、前記駆動機構から離れた場所からオペレータ入力を受信して、前記真空遮断部の遠隔制御操作を行う制御部と
を具備し、
前記制御部は、前記真空信号に応答し、前記センサによって前記真空圧空間中の圧力状態上昇が検出された場合には、オペレータによって開始される前記真空遮断部の遠隔制御を阻止することを特徴とする装置。
【請求項９】
前記真空遮断部から離れて配置されるとともに、前記真空信号に応答して前記制御部によって起動されて、前記圧力状態上昇の遠隔表示を提供する指示部をさらに具備することを特徴とする請求項８に記載の装置。
【請求項１０】
前記センサによって前記圧力状態上昇が検出された場合には、前記複数の接点に接続されたソレノイドの通電を自動的に阻止するように前記制御部によって制御される保護装置をさらに具備することを特徴とする請求項８に記載の装置。
【請求項１１】
前記センサによって前記真空状態上昇が検出された場合には、前記複数の接点の動作を機械的に阻止するように前記制御部によって制御される電気機械式開阻止部をさらに具備することを特徴とする請求項８に記載の装置。
【請求項１２】
接触部をさらに具備し、
前記駆動機構は、前記開及び閉位置間で前記複数の接点を動作させるためのソレノイドを具備し、
前記制御部は、前記開及び閉位置間で前記複数の接点を動作させるために、前記オペレータ入力に応答して前記ソレノイドを電源に選択的に接続し、
前記接触部は、前記ソレノイド及び電源と直列に接続されるとともに、前記センサによって前記真空圧空間中の圧力状態が所定のしきい値に達したことが検出された場合には、前記制御部によって開放されて、オペレータによって開始される前記真空遮断部の遠隔制御を阻止することを特徴とする請求項８に記載の装置。
【請求項１３】
前記真空圧空間の環境のパラメータに応じて環境信号を提供する環境センサと、
前記真空信号の履歴と、対応する前記環境信号の履歴とを示すデータを格納するデータベースと
をさらに具備することを特徴とする請求項８に記載の装置。
【請求項１４】
前記センサが、
光源と、
圧力境界内の圧力値にかかわらず、前記光源の光を受け取るように配置された第１光感知デバイスと、
前記圧力境界内の圧力値が許容範囲にある場合のみ前記光源の光を受け取り、かつ前記圧力境界内の圧力値が劣化した場合には前記光源の光を受け取らないように配置された第２光感知デバイスと、
前記圧力境界内の圧力値が劣化した場合のみ前記光源の光を受け取り、かつ前記圧力境界内の圧力値が許容範囲にある場合には前記光源の光を受け取らないように配置された第３光感知デバイスと
を具備し、
前記制御素子は、前記制御部によって実行可能なロジックを有し、前記光源、前記第１光感知デバイス、前記第２光感知デバイス、及び前記第３光感知デバイスの出力に応じて、前記圧力境界内の圧力が許容範囲にあるか又は劣化したかを判断することを特徴とする請求項８に記載の装置。
【請求項１５】
前記センサが、
発光デバイスと、
圧力境界内の圧力値が許容範囲にある場合のみ前記発光デバイスの光を受け取り、かつ前記圧力境界内の圧力値が劣化した場合には前記発光デバイスの光を受け取らないように配置された光感知デバイスと、
前記圧力境界内の圧力値が劣化した場合のみ前記発光デバイスの光を受け取り、かつ前記圧力境界内の圧力値が許容範囲にある場合には前記発光デバイスの光を受け取らないように配置された光感知デバイスと
を具備し、
前記制御部によって実行可能なロジックは、
前記圧力境界内の圧力値が許容範囲にある場合のみ前記発光デバイスの光を受け取り、かつ前記圧力境界内の圧力値が劣化した場合には前記発光デバイスの光を受け取らないように配置された前記光感知デバイスの出力と、
前記圧力境界内の圧力値が劣化した場合のみ前記発光デバイスの光を受け取り、かつ前記圧力境界内の圧力値が許容範囲にある場合には前記発光デバイスの光を受け取らないように配置された前記光感知デバイスの出力と
に応じて、前記圧力境界内の圧力が許容範囲にあるか又は劣化したかを判断することを特徴とする請求項８に記載の装置。
【請求項１６】
高圧電力用開閉装置であって、
真空圧空間に配置された複数の接点を具備する真空遮断部と、
前記真空圧空間中の圧力に応じて真空信号を提供するセンサと、
前記真空圧空間中の前記圧力の履歴を示すデータを格納するデータベースと、
前記データベースにアクセスするとともに、前記真空圧空間中の前記圧力の前記履歴から作成した傾向情報を提供するプロセッサと
を具備することを特徴とする装置。
【請求項１７】
前記真空遮断部の環境のパラメータに応じて環境信号を提供する第２センサをさらに具備し、
前記データベースが、前記真空圧空間中の前記圧力の前記履歴と前記環境パラメータの対応する履歴との相関関係から成ることを特徴とする請求項１６に記載の装置。
【請求項１８】
開及び閉位置間で前記複数の接点を動作させるために、オペレータによって遠隔制御が可能な駆動機構と、
前記真空圧信号に応答し、前記圧力空間中の圧力が所定の値に達した場合には、オペレータによって開始される前記複数の接点の動作を自動的に阻止する保護装置と
をさらに具備することを特徴とする請求項１６に記載の装置。
【請求項１９】
前記保護装置が、前記駆動機構の電源に直列に接続された接触部を具備し、
前記接触部は、前記真空信号に応答して選択的に開放されることを特徴とする請求項１８に記載の装置。
【請求項２０】
前記保護装置が、前記真空信号に応じて前記複数の接点の手動による動作を阻止する電気機械式開阻止部を具備することを特徴とする請求項１８に記載の装置。
【発明の詳細な説明】
【技術分野】
【０００１】
一般に、この発明は、高電圧、高出力用の真空式開閉（electrical switching）デバイスの分野に関する。
【背景技術】
【０００２】
電気施設及び産業用途において、高圧電力（例えば交流１，０００Ｖを越える電力）のフローを制御するために、さまざまなデバイスが使用されている。上記デバイスには、回路遮断器、リクローザ、コンデンサスイッチ、自動及び非自動セクショナライザ、及び気中遮断器（air-switch attachment）などがある。明細書中では、それらは、一般的な用語であるスイッチ（switch）又は開閉装置（switching apparatus）と称される。機械式スイッチは、半導体スイッチが開発された後もなお、超高電圧用途に採用されている。このようなデバイスは、対となる電気接点を内蔵している。電気接点は、互いに離れて電流を遮断するとともに、互いに密着して電流がスイッチを介して流れるようにする。開放されたときに電気回路を遮断するために、接点は、典型的に、高い絶縁耐力を有する油に浸されるか、又は、ＳＦ６などの絶縁ガス又は真空圧空間に包まれる。真空式デバイスにおける真空度の低下は、接点開時に深刻なアーク放電を生じさせるか、又は接点閉時に過熱を生じさせる。その結果、接点に損傷を与える原因となり、かつスイッチの近辺に居る者を傷つける恐れが生じる。
【０００３】
真空式スイッチの真空圧空間において圧力の監視を行うデバイスが知られている。このようなデバイスの例が、米国特許出願公開第２００５／０２５８３４２ Ａ１号、並びに米国特許第４１０３２９１号及び第４４８４８１８号に記載されている。これらは、それぞれ引用によって本願明細書に組み込まれる。これらの監視デバイスは、接点周囲の真空状態が劣化した場合の指示を提供するために使用される。
【特許文献１】米国特許出願公開第２００５／０２５８３４２号明細書
【特許文献２】米国特許第４１０３２９１号明細書
【特許文献３】米国特許第４４８４８１８号明細書
【発明の開示】
【発明が解決しようとする課題】
【０００４】
しかしながら、真空状態を監視するためのこのようなデバイスが存在しているにもかかわらず、真空式スイッチは、電気接点周囲の劣化した真空状態での切換動作に起因してしばしば損傷を負う。このような被害を回避する改良された開閉装置が必要となる。
【発明を実施するための最良の形態】
【０００５】
本発明は、添付の図面を参照し、以下の記載によって説明される。
【０００６】
図１の開閉装置１０は、真空遮断部１２と、開及び閉位置間で遮断部１２を選択的に切り換える駆動機構１４と、機器に損傷を与えるか又は人を傷つける恐れのある状態下での遮断部１２の切り換えを防止する保護装置１６とを具備する。真空遮断部１２は、（固定接点１８ｓ及び可動接点１８ｍとして図示された）対となる複数の電気接点１８を具備する。電気接点１８は、接点が高電圧回路２０の一部として開閉装置１０を介して流れる電流を繋ぎ合わせる閉位置と、接点が（破線で示されたように位置を変えた可動接点１８ｍのように）間隔を空けて、スイッチ１０を介して流れる電流を遮断する開位置との間の相対動作のために構成される。接点１８は、圧力境界２２によって取り囲まれる。圧力境界２２は、その内側を真空圧空間２１と定める。真空圧状態は、高電位において接点１８が開及び閉位置間を移動するときの接点１８間のアーク放電を最小化する。
【０００７】
駆動機構１４は、電気的に絶縁されたガラス繊維などの適切な絶縁素材の棒状体２６を介して可動接点１８ｍに接続されたソレノイド２４を具備する。ソレノイド２４は、電源２８によって選択的に通電される。電源２８は、遠隔制御部３０を介したオペレータ入力に応じて生成された制御信号２９に応答する。遠隔制御部３０は、真空遮断部１２のすぐ傍の一般的な位置に配置されるか、又は遠く離れて配置されてもよい。圧力境界２２内の真空圧が充分に低い場合の通常動作条件下では、遠隔制御部３０を介したオペレータ入力は、電源２８をソレノイド２４に接続する機能を有し、開及び閉位置間で接点１８を選択的に動作させる。
【０００８】
保護装置１６は、圧力境界２２内の圧力が所定のしきい値を越えた場合に、接点１８の相対動作（開又は閉）を阻止する。しきい値は、接点１８間のアーク放電による機器への損傷及び近辺の人への危険を回避するように選択される。例えば、さまざまな実施形態において、しきい値は、約１０−２ｔｏｒｒから１０−４ｔｏｒｒとなる。保護装置１６は、真空遮断部１２に接続されたセンサ３２を具備する。センサ３２は、圧力境界２２内の真空圧状態に応じて真空信号３４を生成する。このようなセンサ３２の例が、上記の米国特許出願公開第２００５／０２５８３４２ Ａ１号に記載されている。真空信号３４は、制御部３６と、ソレノイド２４及び電源２８に直列に配置された接触部３８との状態を制御するために使用される。センサ３２によって圧力境界２２内の圧力状態の劣化（すなわち、圧力上昇）が検出されたとき、制御部３６は、対応する真空信号３４を受信すると、入れ替わりに、接触部３８を開放してソレノイド２４の通電を妨げ、それによって、接点１８の動作を阻止する。故に、駆動機構１４及び保護装置１６は、制御信号２９及び真空信号３４の両方に応答して制御素子１７として互いに機能し、真空圧が充分な場合の接点１８の動作を制御するとともに、真空圧が劣化した場合の接点１８の動作を自動的に阻止する。ほぼすべての真空式スイッチの操作がローカル又は遠隔制御のいずれか一方に基づいて電気的に制御されるので、本発明は、維持すべき真空度が低下したときの上記スイッチの状態変化を阻止する機能を有する。劣化した真空状態での動作を防止することによって、突発事故及び人的被害の可能性を最小化できる。
【０００９】
また、制御部３６は、指示部４２に対して指示信号４０を生成し、劣化／上昇した圧力状態を知らせる。指示部４２は、ライト又は他の視覚的若しくは可聴デバイスであってよく、かつオペレータ制御表示部の一部であってもよい。指示部４２は、真空遮断部１２の修理が必要であることを適切な保守人員に警告するための中央保守又はサービスセンターなど、近くの遠隔制御部３０又は関係する場所に配置される。指示信号４０及び／又は制御信号２９は、インターネット又は無線通信ネットワークなどのネットワークを介して転送されてよい。
【００１０】
真空式スイッチは、例えば数ヶ月又は数年にまでわたるような真空状態の非常にゆっくりとした劣化を生じさせる少量の漏れを生み出す。センサ３２によって測定された圧力値の履歴がデータベース４４に格納される。履歴は、時刻歴であってよく、及び／又は、接点動作回数などの別の計数値について履歴として記録されたデータであってもよい。制御部３６又は別の演算部が、データベース４４にアクセスし、圧力情報の履歴に基づく傾向情報を生成するために使用できる。それによって、保守の判断を下すために用いる予測機能を提供する。傾向情報は、検知された圧力の外挿である。傾向情報に基づいて圧力がしきい値に達すると見込まれる時期を予測することで、接点１８の動作が機器の損傷につながる点まで圧力が劣化するより前に、真空遮断部１２の修理／交換を計画する。傾向情報及び任意の予測データは、保守／修理施設などにおいて、遠隔指示部４２を介して遠隔表示されてよい。
【００１１】
また、図１は、圧力境界２２の環境パラメータに応じて環境信号４８を提供する第２センサ４６を示す。上記環境パラメータは、温度、電圧、機械的衝撃、落雷検出、遮断器状態、又は開閉装置１０、特に、圧力境界２２の完全性に影響を及ぼすその他のパラメータであってよい。データベース４４は、真空信号３４の履歴と、対応する環境信号４８の履歴とを関係付けるために使用される。このような情報は、真空圧空間２１内の真空度低下の原因の診断に役立つ。例えば、回路２０で電圧の印加直後に圧力が増加し始める場合には、電圧の印加が圧力境界２２のいくらかの機械的エラーの原因となっているという判断を下すことができる。このような関係は、開閉装置圧力劣化状態の根本原因を突き止めるため、かつその後の劣化した状態の修復に対する経済的負担を評価するために役立つ。
【００１２】
図２は、図１の真空式開閉装置１０で使用される保護装置５０の一実施形態を示す。この実施形態において、真空圧センサ３２は、フラグ５２を具備する。フラグ５２は、真空圧力空間２１内の圧力変化に応じて動作する素子である。図２は、フラグ５２を、通常動作位置にある場合に直線で、スイッチがエラー位置にある場合（真空圧空間２１の圧力が高い場合）に破線で示す。フラグ５２は、スイッチ圧力境界２２内の圧力状態に応じて発光ダイオード（Light Emitting Diode，ＬＥＤ）５４又は他の光源によって生成される光エネルギーを選択的に遮断又は通過させる機能を果たす。このタイプのセンサが、上記の米国特許出願公開第２００５／０２５８３４２ Ａ１号に、より詳しく記載されている。保護装置５０は、３つの光感知ダイオード（Light Sensitive Diode，ＬＳＤ）５６，５８，６０又は他の光検出デバイスを内蔵する。第１光感知ダイオード５６は、スイッチの動作可能性にかかわらずＬＥＤ ５４からの光を受け取るように配置され、かつこのように受け取った光に応答して電流信号Ｒ１を生成する。信号Ｒ１は、電源６２によって印加されている電流に対応する電流信号Ｃ１と、ＬＥＤ ５４へ印加されている電流に対応する電流信号Ｓ１と共に、制御部３６へ入力される。第２光感知ダイオード５８は、フラグ５２がその通常動作位置にある場合（すなわち、真空圧空間２１が適切な真空レベルにある場合）のみＬＥＤ ５４からの光を受け取るように配置される。ＬＳＤ ５８に関連する電流センサは、ＬＳＤ ５８で受け取った光に応答して、信号Ｒ２を制御部３６へ提供する。第３ ＬＳＤ ６０は、フラグ５２がそのスイッチエラー位置にある場合（すなわち、真空圧空間２１が劣化した真空レベルにある場合）のみＬＥＤ ５４からの光を受け取るように配置される。ＬＳＤ ６０に関連する電流センサは、ＬＳＤ ５８で受け取った光に応答して、信号Ｒ３を制御部３６へ提供する。自動補償ループ６１は、ＬＥＤ ５４の光出力を監視するとともに、電源６２の出力を自動的に調整して、光出力を所定の範囲内に維持する。
【００１３】
劣化した真空状態を感知するために、制御部３６は、適切な１つ又は複数の出力信号６４，６６，６８を提供するようにプログラムされる。エラー指示信号６４は、スイッチ制御システムに関連するシグナルライト又はスクリーン表示指示などの指示部７０を動作させるために使用される。開回路阻止部信号６６は、スイッチ接点１８の電気的動作を自動的に阻止するために、図１に関連して記載された接触部３８のような開回路阻止部７２を動作させるために使用される。電気機械式阻止部信号６６は、スイッチ接点１８の手動による動作を阻止するソレノイド駆動メカニカルラッチのような電気機械式開阻止部７４を動作させるために使用される。
【００１４】
図３は、図２の保護装置に対して制御部３６で実行されるロジック８０の一実施形態の論理図である。電力継電部８２が回路に電力を最初に供給したとき、ロジック８０は、ステップ８４において自動チェックを開始して、電流信号Ｃ１，Ｓ１，Ｒ１，Ｒ２，Ｒ３のそれぞれの値が規定の許容範囲内にあるということを確認する。すべての信号が許容範囲内にある場合、開閉装置は動作可能であると判断される。そうでない場合、開閉装置は劣化していると判断される。計数回路８６は、劣化したとスイッチが判断するより前に、許容範囲外となる電流の３回の検出を要する３回計数部といった、動作を行う前の多重チェックを要求するように、又は劣化したスイッチのデフォルト検出より前に規定の時間内に動作可能なスイッチの検出を要求するタイミング回路に使用される。計数回路８６ゲートの通過の際、システムへの電力は、ステップ８８でオフに切り換わるか、又はステップ９０で時間切れとなり、図２の自動保護素子７０，７２，７４に対応する１つ以上の自動保護ステップ９２，９４、９６が行われる。スイッチがステップ８４で動作可能と判断された場合、上記すべての自動保護素子は、それぞれのステップ９８，１００，１０２で非動作状態とされる。
【００１５】
図２及び図３に記載された光経路及び電流測定値の固有の冗長度は、真空度の低下を誤って指示することを最小化する高度の保証を提供する。例えば、ＬＥＤからの光を受信するために１つのＬＳＤだけが使用されていた場合、その１つのＬＳＤに基づく電流値の低下が、たとえ、それが電源異常、ＬＥＤ異常、又は誤って配置されたフラグに起因するものであっても、真空状態の劣化として誤診断される。図２及び図３の実施形態において、真空状態の劣化は、Ｒ２に対する電流値低下の発生と、Ｒ３に対する電流値増大の同時発生として定義される。このような実施形態は、ＬＳＤ ５６又は信号Ｃ１，Ｓ１，又はＲ１を必要としない。しかしながら、さらに充実したセンサ性能の診断のために、すべての信号Ｃ１，Ｓ１，Ｒ１，Ｒ２，Ｒ３が、電力低下（Ｃ１値の低下）、ＬＥＤ異常（Ｒ１値の低下）、いずれかのＬＳＤの異常（電流値Ｓ１，Ｒ１，Ｒ２，Ｒ２の不適切な組合せ）などのさまざまなタイプのエラーの診断と共に解析されてよい。
【００１６】
明細書中には本発明のさまざまな実施形態が記載されたが、このような実施形態が例示のみを目的として提供されたということは明白である。本発明から逸脱することなく、数多くの変形、変更、及び修正を行うことができる。従って、本発明は、添付された特許請求の範囲の精神及び範囲によってのみ限定されるということを意図する。
【図面の簡単な説明】
【００１７】
【図１】改良された真空式開閉装置の概略図である。
【図２】図１の真空式開閉装置で使用される保護装置の一実施形態の概略図である。
【図３】図２の保護装置に関連する論理図である。
【符号の説明】
【００１８】
１０  開閉装置
１２  真空遮断部
１４  駆動機構
１６  保護装置
１７  制御素子
１８Ｓ  固定接点
１８Ｍ  可動接点
２０  高電圧回路
２１  真空圧空間
２２  圧力境界
２４  ソレノイド
２６  棒状体
２８  電源
２９  制御信号
３０  遠隔制御部
３２  センサ
３４  真空信号
３６  制御部
３８  接触部
４０  指示信号
４２  遠隔指示部
４４  データベース
４６  第２センサ
４８  環境信号
５０  保護装置
５２  スイッチフラグ
５４  発光ダイオード
５６，５８，６０  光感知ダイオード
６１  自動補償ループ
６２  電源
６４，６６，６８  出力信号
７０  エラー指示部
７２  開回路阻止部
７４  電気機械式開阻止部
【図１】
2009525583.tif 000003
【図２】
2009525583.tif 000004
【図３】
2009525583.tif 000005
【国際調査報告】
2009525583.tif 000006
2009525583.tif 000007